(57)【要約】【課題】普通の歯ブラシや歯間ブラシ等の各種口腔清掃用具に装着して、それらを電動歯ブラシ等の電動口腔清掃用具と同様な性能で使用できるようにする。【解決手段】口腔清掃用具である歯ブラシ１０にその柄部１１を挟み込んで装着可能なバネ式クランパ２に、給電により振動を発生する振動源である振動モータ３を一体的に固定して設け、その振動モータ３に電池４３を収納した電源部４から給電線５を通して給電する。その電源部４をパジャマの胸のポケットなどに入れ、クランパ側ユニット１を歯ブラシにしっかりと装着する、そして、電源部４のスイッチ４１をＯＮにすると、振動モータ３が起動して、その振動がバネ式クランパ２を介して柄部１１に伝達されるとともに、振動モータ３に密着している柄部１１に直接伝達され、歯ブラシ１０のヘッド部１２を効率よく微振動させる。【選択図】    図１
0003170570.tif 000002
【実用新案登録請求の範囲】
【請求項１】
歯ブラシ等の口腔清掃用具にその柄部を挟み込んで装着可能なバネ式クランパと、給電により振動を発生する振動源と、該振動源に給電する電源部とからなり、
前記振動源は前記バネ式クランパに一体的に固定して設けられ、
前記電源部は前記バネ式クランパとは分離して設けられ、前記振動源と給電線で接続されており、
前記電源部側と前記バネ式クランパ側の少なくとも一方に、前記振動源への給電回路を開閉するスイッチを設けたことを特徴とする口腔清掃用具用振動ユニット。
【請求項２】
前記電源部が電池を収納する電池ケースであり、衣服に止めるための弾性を有するクリップ片を備えていることを特徴とする請求項１に記載の口腔清掃用具用振動ユニット。
【請求項３】
歯ブラシ等の口腔清掃用具にその柄部を挟み込んで装着可能なバネ式クランパと、給電により振動を発生する振動源と、該振動源に給電する電源部とからなり、
前記振動源と前記電源部とが、前記バネ式クランパに一体的に固定して設けられ、
該バネ式クランパに前記振動源への給電回路を開閉するスイッチを設けたことを特徴とする口腔清掃用具用振動ユニット。
【請求項４】
前記バネ式クランパが、２枚の板状部材の中間部を互いに回動軸の周りに回動可能に連結し、その連結部から前記回動軸に直交する一方側に延びる前方部が互いに閉じるようにコイルバネ又は板バネによって回動力を付与しており、該前方部が口腔清掃用具の柄部を挟み込む把持部であり、他方側に延びる後方部が、指で摘まれることによって前記回動力に抗して前記把持部を開く摘み部であることを特徴とする請求項１から３のいずれか一項に記載の口腔清掃用具用振動ユニット。
【請求項５】
前記バネ式クランパの前記把持部が、弾性変形可能であって、挟み込む口腔清掃用具の柄部の長手方向に沿う方向に複数の部分に分割されていることを特徴とする請求項４に記載の口腔清掃用具用振動ユニット。
【請求項６】
前記振動源が振動モータであり、該振動モータを前記バネ式クランパの前記回動軸に沿って、あるいは該回動軸に対応する位置に配置したことを特徴とする請求項４又は５に記載の口腔清掃用具用振動ユニット。
【請求項７】
前記スイッチを前記バネ式クランパ側に設け、該バネ式クランパが口腔清掃用具にその柄部を挟み込んで装着されたときに、その柄部によって前記振動源への給電回路を閉じるように操作される位置に前記スイッチを配置したことを特徴とする請求項１から６のいずれか一項に記載の口腔清掃用具用振動ユニット。
【考案の詳細な説明】
【技術分野】
【０００１】
この考案は、歯ブラシ、歯間ブラシ、あるいは舌クリーナ等の口腔清掃用具用の振動ユニットに関する。
【背景技術】
【０００２】
口腔清掃用具としては、虫歯を予防するために歯を磨く歯ブラシが長年に亘って使用されている。また、歯と歯の隙間に詰まった食物カスやプラークなどを除去して、歯周病を予防するために歯間ブラシも以前から使用されている。
さらに、近年では振動モータや超音波振動子等を内蔵して、ブラシを振動させるようにした電動歯ブラシや電動歯間ブラシも使われるようになっている。それらを使用すれば、力を使わずに歯や歯間等の口腔内の清掃を効率よく行うことができる。
【０００３】
例えば、特許文献１には、内部に電池を収納する把持本体に歯ブラシ体を取り付け、その歯ブラシ体内に電池からの給電によって振動する振動モータを設け、その振動によってブラシ部に微振動を与えるようにした電動歯ブラシが開示されている。
また、特許文献２には、電源及び制御回路を収納したハンドル部から延設したネック部を介してヘッド部を設け、そのヘッド部内に設けた駆動機構を駆動して、植毛がなされた可動部を往復振動させるように構成した電動歯ブラシが開示されている。
【先行技術文献】
【特許文献】
【０００４】
【特許文献１】特開２００３−９３４１５号公報
【特許文献２】特開２００９−４５２０２号公報
【考案の概要】
【考案が解決しようとする課題】
【０００５】
しかしながら、このような従来の電動歯ブラシや電動歯間ブラシ等の各口腔清掃用具は、その各口腔清掃用具の内部に振動源や振動機構を備えた、専用のものとして作られているため、普通の市販の歯ブラシ等と比べてかなり高価であった。また、ブラシ部は使用により消耗するため、振動源等を内蔵した本体部に対して着脱可能にして、ブラシ部だけを交換できるようにしたものもある。
しかし、その本体部には通常は専用の交換用ブラシ部しか装着できないため、その場合でも一般には個人毎に専用の電動歯ブラシ等を使用することになり、誰でも手軽に使用することは出来なかった。
【０００６】
この考案は、上記のような問題を解決するためになされたものであり、市販されている普通の歯ブラシや歯間ブラシ等の各種口腔清掃用具を、どれでもに簡単に微振動させて、電動歯ブラシ等の電動口腔清掃用具と同様な性能で使用できるようにすることを目的とする。そのために、市販の各種口腔清掃用具に簡単に着脱できる小型で軽量な振動ユニットを提供する。
【課題を解決するための手段】
【０００７】
この考案による口腔清掃用具用振動ユニットは、上記の目的を達成するため、歯ブラシ等の口腔清掃用具にその柄部を挟み（くわえ）込んで装着可能なバネ式クランパと、給電により振動を発生する振動源と、該振動源に給電する電源部とからなり、上記振動源は上記バネ式クランパに一体的に固定して設けられ、上記電源部は上記バネ式クランパとは分離して設けられ、上記振動源と給電線で接続されており、上記電源部側とバネ式クランパ側の少なくとも一方に、上記振動源への給電回路を開閉するスイッチを設けたものである。
【０００８】
上記電源部が電池を収納する電池ケースであり、衣服に止めるための弾性を有するクリップ片を備えているとよい。
あるいは、上記振動源と電源部とを上記バネ式クランパに一体的に固定して設け、そのバネ式クランパに上記振動源への給電回路を開閉するスイッチを設けるようにしてもよい。
【０００９】
上記口腔清掃用具用振動ユニットのバネ式クランパは、２枚の板状部材の中間部を互いに回動軸の周りに回動可能に連結し、その連結部から上記回動軸に直交する一方側に延びる前方部が互いに閉じるようにコイルバネ又は板バネによって回動力を付与しており、その前方部が口腔清掃用具の柄部を挟み（くわえ）込む把持部であり、他方側に延びる後方部が、指で摘まれることによって上記回動力に抗して上記把持部を開く摘み部であるとよい。
【００１０】
上記バネ式クランパの上記把持部が、弾性変形可能であって、挟み込む口腔清掃用具の柄部の長手方向に沿う方向に複数の部分に分割されていると、口腔清掃用具の柄部の形状に係わらず確実に把持できる。
上記振動源が振動モータであり、その振動モータを上記バネ式クランパの回動軸に沿って、あるいはその回動軸に対応する位置に配置することによって、一層の小型化が可能になる。
上記スイッチを上記バネ式クランパ側に設け、そのバネ式クランパが口腔清掃用具にその柄部を挟み込んで装着されたときに、その柄部によって上記振動源への給電回路を閉じるように操作される位置に上記スイッチを配置するとよい。
【考案の効果】
【００１１】
この考案による口腔清掃用具用振動ユニットを使用すれば、安価な普通の歯ブラシ等の各種口腔清掃用具に簡単に装着して、それを微振動させることができる。したがって、誰でも自分の歯ブラシ等の口腔清掃用具を、手軽に高価な電動歯ブラシ等と同等な性能にして使用することができる。
例えば、一家に一台の振動ユニットを備えておけば、家族全員が好きなときにそれを自分の歯ブラシ等に装着して使用することができる。しかも、その振動ユニットは消耗することなく長期間使用できるので、極めて経済的である。
【図面の簡単な説明】
【００１２】
【図１】この考案による口腔清掃用具用振動ユニットの第１実施例をクランパ側ユニットを歯ブラシに装着した状態で示す正面図である。
【図２】同じくそのクランパ側ユニットのみを歯ブラシに装着していない状態で図１の上方から見た図に相当する平面図である。
【図３】同じくそのクランパ側ユニットのみを歯ブラシに装着した状態で、歯ブラシの柄のみを断面にして図１の上方から見た平面図である。
【図４】図２における手前側連結部の内側付近の長手方向に沿った縦断面図である。
【００１３】
【図５】この考案による口腔清掃用具用振動ユニットの第２実施例のクランパ側ユニットのみを示す図２と同様な平面図である。
【図６】同じくそのクランパ側ユニットの図４と同様な縦断面図である。
【図７】この考案による口腔清掃用具用振動ユニットの第３実施例のクランパ側ユニットのみを示す正面図である。
【図８】同じくそのクランパ側ユニットを歯ブラシに装着した状態の要部のみを、分割された把持部を断面にして図１の左側から見た図に相当する拡大図である。
【図９】この考案による口腔清掃用具用振動ユニットの電源部の他の例を示す図である。
【図１０】この考案による口腔清掃用具用振動ユニットの第４実施例を歯ブラシに装着した状態で示す正面図である。
【考案を実施するための形態】
【００１４】
以下、この考案を実施するための形態を図面に基づいて具体的に説明する。
〔第１実施例〕
この考案による口腔清掃用具用振動ユニットの第１実施例を図１〜図４によって説明する。図１はその口腔清掃用具用振動ユニットのクランパ側ユニットを歯ブラシに装着した状態で示す正面図である。図２はそのクランパ側ユニットを歯ブラシに装着していない状態で図１の上方から見た図に相当する平面図、図３はそのクランパ側ユニットを歯ブラシに装着した状態で、歯ブラシの柄のみを断面にして図１の上方から見た平面図、図４は図２における手前側連結部の内側付近の長手方向に沿った縦断面図である。
【００１５】
図１に示す口腔清掃用具用振動ユニットは、口腔清掃用具である歯ブラシ１０にその柄部１１を挟み（くわえ）込んで装着可能なバネ式クランパ２に、給電により振動を発生する振動源である振動モータ３を一体的に固定して設けたクランパ側ユニット１と、その振動モータ３に給電する電源部４とから構成されている。そして、電源部４はバネ式クランパ２とは分離して設けられ、クランパ側ユニット１の振動モータ３と給電線５で接続されている。給電線５には細くて柔軟な２芯コードを使用するとよい。
【００１６】
その電源部４に、振動モータ３への給電回路を開閉する押しボタン式のスイッチと、衣服に止めるための弾性を有するクリップ片とを備えている。この電源部４は内部に破線で示すように電池４３を収納する電池ケースであり、電池４３を交換するための蓋付き開口部（図示を省略している）と、破線で示すように、電池４３の正負の各極と接続する電極片及びスイッチ４１の各端子と給電線５との間の配線等を有している。
【００１７】
歯ブラシ１０は、手で握るための柄部１１と刷毛１３を植え込んだヘッド部１２とからなる普通の市販の歯ブラシであり、柄部１１の横断面形状が円、楕円、長円、四角形以上の多角形などに近い種々の形状のものに、この口腔清掃用具用振動ユニットのクランパ側ユニット１を装着できる。
【００１８】
そのクランパ側ユニット１の詳細を図２〜図４も使用して説明する。バネ式クランパ２は、２枚の板状部材２１，２２の長手方向の中間部における幅方向の両側部に、互いに相手側の方向に延びて重なり合うように一対ずつの連結片２１ａ，２２ａを形成しており、その各連結片２１ａ，２２ａを貫通して一本の回動軸２３によって、２枚の板状部材２１，２２をその回動軸２３の周りに回動可能に連結している。
【００１９】
その２枚の板状部材２１，２２に、その連結部から回動軸２３に直交する一方（図２で左方）側に延びる前方部が互いに閉じるように回動軸２３に挿通されたコイルバネ２４（図４参照）によって回動力を付与しており、その前方部が歯ブラシ１０の柄部１１を挟み（くわえ）込む把持部２１ｂ，２２ｂである。また、連結部から回動軸２３に直交する他方（図２で右方）側に延びる後方部が、指で摘まれることによって上記回動力に抗して把持部２１ｂ，２２ｂを開く摘み部２１ｃ，２２ｃである。
【００２０】
コイルバネ２４は図４に明示するように回動軸２３に挿通されて、板状部材２２の一対の連結片２２ａ，２２ａの間に、図１に破線で示すように設けられており、その両端部が後方に互い開くように外側に向かって斜めに延びている。その一方の端部２４ａが一方の板状部材２１の摘み部２１ｃ側の内面に、他方の端部２４ｂが他方の板状部材２２の摘み部２２ｃ側の内面にそれぞれ当接している。
【００２１】
２枚の板状部材２１，２２の各把持部２１ｂ，２２ｂは先端部が互いに幾分近付くように湾曲しており、その各内面２１ｂｉ，２２ｂｉに微細な凹凸や幅方向に沿う多数の浅い溝を形成するなどして粗面にすると、歯ブラシ１０の柄部１１との摩擦力が増加して、その把持を一層確実にすることができるので望ましい。
また、２枚の板状部材２１，２２の各摘み部２１ｃ，２２ｃの外面２１ｃｏ，２２ｃｏにも同様な凹凸や溝などを形成して粗面にすると、この摘み部２１ｃ，２２ｃを指で摘んでバネ式クランパ２を開く際に、指が滑り難くなって、操作し易くなるので望ましい。
【００２２】
このバネ式クランパ２の板状部材２２の一対の連結片２２ａ，２２ａの間に幾分入り込むように、振動源として振動モータ３を回転軸２３に平行に配置している。板状部材２１の内面には、振動モータ３の下部外周面にフィットする内面形状で幅方向に延びる支持部２１ｄを一体に形成しており、その支持部２１ｄに振動モータ３を防水性の接着剤で強固に接着して、一体的に固定支持している。板状部材２２の内面には、振動モータ３の上部外周面にフィットする内面形状で幅方向に延びる押さえ部２２ｄを一体に形成している。
【００２３】
そして、バネ式クランパ２が図２に示す自由状態のときには、コイルバネ２４による板状部材２１，２２の回動力によって、押さえ部２２ｄが振動モータ３の上面に当接して、支持部２１ｄとの間に振動モータ３を挟み、２枚の板状部材２１，２２は把持部２１ｂ，２２ｂをある程度開いた状態で、略平行に保持される。
したがって、摘み部２１ｃ，２２ｃを指で摘んで把持部２１ｂ，２２ｂを開き、図１及び図３に示すように歯ブラシ１０の柄部１１を把持部２１ｂ，２２ｂで挟み込んで装着する操作を、極めて容易に行うことができる。
【００２４】
振動モータ３は、図４に示すように円筒状の筐体３ａ内にステータとロータからなる回転駆動部３ｂが収納され、その回転軸３ｃに扇形の偏心重り３ｄが固着されている。そのため、回転駆動部３ｂによって回転軸３ｃが高速回転されると偏心重り３ｄの回転によって振動が発生し、筐体３ａ全体が振動し、それが支持部２１ｄを通してバネ式クランパ２全体に伝播される。
【００２５】
そして、図１及び図３に示すように歯ブラシ１０に装着した状態で、振動モータ３を駆動させると、その振動が板状部材２１，２２の把持部２１ｂ，２２ｂを通して歯ブラシ１０の柄部１１に伝播されるだけでなく、把持部２１ｂ，２２ｂがその湾曲によって、歯ブラシ１０の柄部１１をくわえ込むようにして振動モータ３の筐体３ａに押し付けるので、振動モータ３と柄部１１とが常に密着し、振動がロスなく柄部１１に伝達され、歯ブラシ１０を極めて効率よく振動させることができる。
【００２６】
したがって、普通の歯ブラシを高価な電動歯ブラシ同等な性能にして使用することができ、歯磨きを楽に効果的に行うことができる。
この実施例ではクランパ側ユニット１と電源部４を分離したので、振動部であるクランパ側ユニット１を小型軽量化でき、振動モータ３の振動を歯ブラシ１０に効率よく伝えられるとともに、歯ブラシ１０の操作に殆ど邪魔にならない。
【００２７】
バネ式クランパ２の２枚の板状部材２１，２２は、透明又は色付き透明あるいは半透明、不透明など各種の樹脂で、歯ブラシにマッチする洒落たデザインに形成することができる。勿論ステンレスやアルミニウムなどの錆びない軽い金属で形成してもよい。
振動モータ３はウオータプルーフ（防水構造）になっているので、このクランパ側ユニット１を、歯ブラシ１０と共に又は別に水洗して、常に清潔に保つことができる。
【００２８】
電源部４は、電池を収納する角柱又は円柱状の細長い小型のユニットであり、パジャマやシャツの胸のポケットあるいはズボンのポケットなどに入れて使用するとよい。あるいはクリップ片４２で衣服に止めて使用することもできる。そのため、給電線５には細くて柔軟でバネ式クランパ２とマッチした色彩のものを使用するとよく、長さは５００ｍｍ〜８００ｍｍ程度が適当である。
図１では、コストパフォーマンスがよく、小型にできる単三型又は単四型の電池４３を１本使用する電源部４の例を示している。しかし、それらの電池あるいは単五型の電池を複数本使用するものでもよいし、充電式の二次電池等を使用するものでもよいことは勿論である。
【００２９】
電源部４のスイッチ４１は、振動モータ３への給電回路を開いている（ＯＦＦしている）ときに押しボタン４１ａが押されると給電回路を閉じ（ＯＮにし）、その状態で再度押しボタン４１ａが押されると、給電回路を開く（ＯＦＦにする）、押しボタン式のスイッチの例を示している。しかし、スライド式や回動式など他のタイプのスイッチでもよい。
【００３０】
また、スイッチを電源部４に設けているが、クランパ側ユニット１に設けてもよいし、電源部４とクランパ側ユニット１の両方にスイッチを設けてもよい。クランパ側ユニット１にスイッチを設ける場合は、後述する実施例のように、歯ブラシ１０への装着によって、あるいはバネ式クランパ２の開閉に応じて、自動的に振動モータ３への給電回路を開閉（ＯＮ／ＯＦＦ）するようにしてもよい。
【００３１】
〔第２実施例〕
次に、この考案による口腔清掃用具用振動ユニットの第２実施例を図５及び図６によって説明する。図５はその口腔清掃用具用振動ユニットのクランパ側ユニットのみを示す図２と同様な平面図、図６はそのクランパ側ユニットの図４と同様な縦断面図である。これらの図において、図１〜図４の各部と対応する部分には同一の符号を付してあり、それらの詳細な説明は省略する。この第２実施例においても、電源部及び給電線は第１実施例と同様であるから、図示を省略している。しかし、この第２実施例では第１実施例で用いた電源部４のスイッチ４１は省略してもよい。
【００３２】
この第２実施例のクランパ側ユニット１′では、バネ式クランパ２′を構成する２枚の板状部材２１，２２を回動可能に連結する回動軸に対応する位置に、振動モータを配置している。そのため、図５に示すように、板状部材２２の長手方向の中間部に、連結片を兼ねた中空の振動モータ保持部２２ｅを形成し、その両端面に軸部２２ｆを突設している。一方、板状部材２１の一対の連結片２１ａに、それぞれ後方から中心に向かって軸受溝２１ｆを形成しており、その各軸受溝２１ｆに板状部材２２の軸部２２ｆを後方から挿入できる。
【００３３】
板状部材２１，２２の各摘み部２１ｃ，２２ｃの内面側に、それぞれ板バネ係止部２１ｇ，２２ｇを形成し、Ｕ字状に湾曲した板バネ２５の両端部２５ａ，２５ｂを板状部材２１，２２の板バネ係止部２１ｇ，２２ｇに係止させ、中間部２５ｃを振動モータ保持部２２ｅの側面に押し当て、軸部２２ｆを軸受溝２１ｆから抜けないように連結片２１ａの溝底に押し付ける。
【００３４】
それによって、一対の連結片２１ａと振動モータ保持部２２ｅと一対の軸部２２ｆとによって、図５に示すように２枚の板状部材２１，２２を互いに回動軸である軸部２２ｆの周りに回動可能に連結し、把持部２１ｂ，２２ｂが互いに閉じるように板バネ２５によって回動力を付与し、バネ式クランパ２′を構成している。
【００３５】
板状部材２２の振動モータ保持部２２ｅの中空部内に、振動モータ３をその中心が一対の軸部２２ｆと対応する同芯の位置になるように配設し、防水性の接着剤によって接着して一体的に固着する。振動モータ３の構成は、図４によって説明した第１実施例と同じである。振動モータ保持部２２ｅは、振動モータ３の筐体３ａの全周をカバーする必要はなく、振動モータ３を確実に保持できる範囲に設ければよい。
また、この実施例では、振動モータ３の筐体３ａと一体に押しボタン式のスイッチ２６を設けており、その少なくとも押しボタン２６ａを振動モータ保持部２２ｅから把持部２１ｂ，２２ｂ側に突出させている。
【００３６】
そして、このクランパ側ユニット１′を、バネ式クランパ２′の摘み部２１ｃ、２２ｃを指で摘んで、板バネ２５による回動力に抗して把持部２１ｂ，２２ｂを開き、図６に示すように歯ブラシの柄部１１を挟み込んで、歯ブラシに装着すると、その柄部１１が把持部２１ｂ，２２ｂの湾曲によって、スイッチ２６側にくわえ込まれる。それによって、柄部１１が押しボタン２６ａを押圧し、電源部から振動モータ３への給電回路を閉じるようにスイッチ２６を自動的に操作する。
【００３７】
したがって、このクランパ側ユニット１′を歯ブラシに装着すると、自動的に振動モータ３が起動して振動が発生し、その振動が板状部材２１，２２及びスイッチ２６を通して、効率よく柄部１１に伝達され、歯ブラシ１０を極めて効率よく振動させることができる。
この実施例によれば、バネ式クランパ２′の回転軸に対応する位置に振動モータ３を配置したので、クランパ側ユニット１′（振動部）を一層小型軽量化することができる。
【００３８】
〔第３実施例〕
次に、この考案による口腔清掃用具用振動ユニットの第３実施例を図７及び図８によって説明する。図７はその口腔清掃用具用振動ユニットのクランパ側ユニットのみを示す正面図、図８はそのクランパ側ユニットを歯ブラシに装着した状態の要部のみを、分割された把持部を断面にして図１の左側から見た図に相当する拡大図である。これらの図においても、図１から図６の各部と対応する部分には同一の符号を付してある。
【００３９】
この実施例のクランパ側ユニット１″が、第１、第２実施例と異なるのは、バネ式クランパ２″を構成する２枚の板状部材２１，２２の各把持部２１ｂ，２２ｂ（図７では板状部材２１の向こう側に板状部材２２が重なっている）を、ある程度弾性変形可能に形成し、挟み込む歯ブラシの柄部の長手方向に沿う方向に複数の部分に分割されている点のみである。図７に示す例では、各把持部を４本の切り込みによってａ〜ｅの５つの部分に、略均等に分割している。
【００４０】
把持部２１ｂ，２２ｂのａ〜ｅの各部分に開閉方向に弾性を持たせるには、板状部材２１，２２を若干弾性を有する樹脂等で形成するとよいが、あまり弾性があると、振動が吸収されて柄部１１への伝達を減衰させる恐れがあるので、把持部２１ｂ，２２ｂの厚さを先端部に向かって薄くするとよい。
【００４１】
このクランパ側ユニット１″を歯ブラシに装着するため、バネ式クランパ２″の把持部２１ｂ，２２ｂで図８に示すように柄部１１を挟み込むと、把持部２１ｂ，２２ｂは互いに閉じる方向に回動力が付与されているので、各部分ａ〜ｅがそれぞれ個別に柄部１１の表面に当接するまで閉じる。したがって、図８に示すように、歯ブラシの柄部１１が長手方向にその太さ又は厚さが変化する曲面になっていても、把持部２１ｂ，２２ｂの各部分ａ〜ｅがその曲面に応じて変位して、柄部１１の表面に密着して挟み込むことができる。すなわち、柄部の形状に対する対応性が向上する。
この実施例のバネ式クランパ２″の構成と振動モータ３の保持構造は、前述した第１実施例と同様でもよいし、第２実施例と同様でもよい。
【００４２】
〔電源部の他の例〕
この考案による口腔清掃用具用振動ユニットの電源部の他の例を示す図９によって説明する。この図９に示す電源部４０は、小型ＣＤプレーヤや情報端末装置など各種の小型直流機器の電源装置として使用されているコンバータと同様なものである。
すなわち、この電源部４０は、筐体４０ａから突出した一対の差込片４０ｂを商用電源のコンセントに差し込んでＡＣ１００Ｖを取込み、筐体４０ａの内部に設けられたトランスで降圧し、整流・平滑回路で所定電圧（例えば１．５Ｖ）の直流に変換して、給電線５を通してクランパ側ユニットの振動モータ３に供給する。給電線５の端部に電源プラグ６を設けて、電源部４０に対して挿入及び引き抜き可能にすると便利である。
【００４３】
〔第４実施例〕
次に、この考案による口腔清掃用具用振動ユニットの第４実施例を図１０によって説明する。図１０は、その口腔清掃用具用振動ユニットを歯ブラシに装着した状態で示す図１と同様な正面図である。この図１０において、図１と対応する部分には同一の符号を付してある。
【００４４】
この図１０に示す口腔清掃用具用振動ユニット７は、バネ式クランパ２に、給電により振動を発生する振動源である振動モータ３と、その振動モータ３に給電する電源部８とを一体的に固定して設けている。すなわち、電源部８を構成する電池８１を収納する電池ケースを、バネ式クランパ２を構成する２枚の板状部材２１，２２（板状部材２２は板状部材２１の後ろ側にある）の一方と一体に樹脂等によって形成している。図１０に示す例では後ろ側の板状部材２２と一体に形成している。
【００４５】
このバネ式クランパ２と一体の電源部８に、バネ式クランパ２が歯ブラシ１０にその柄部１１を挟み込んで装着されたときに、その柄部１１によって振動モータ３への給電回路を閉じるように押しボタン８２ａが押されて操作される位置に、スイッチ８２を配置している。このようにすれば、この口腔清掃用具用振動ユニット７を歯ブラシ１０に装着すると、自動的に振動モータ３が起動して振動が発生し、歯ブラシを振動させるので、すぐに歯磨きを開始することができる。
【００４６】
電源部８はなるべく小さくして、歯ブラシ１０の柄部１１を握り難くならないようにする必要がある。そのため、電池としてボタン電池などの超小型電池を使用すれば、電源部８がバネ式クランパ２から殆ど突出しないようにすることができる。しかし、電源容量とコストパフォーマンスを考慮すると、単四型電池を使用するのがよい。その場合でも、図示のように電源部８を細くして、歯ブラシ１０の柄部１１に近接するように配置すれば、柄部１１と電源部８を一緒に握って歯磨きをすることができる。
【００４７】
この実施例におけるバネ式クランパ２の構成と振動モータ３の保持構造は、前述した第１実施例と同様でもよいし、第２実施例と同様でもよい。小型化を図るためには、第２実施例のようにした方がよい。また、振動モータ３側にスイッチを設ければ、電源部８のスイッチ８２は不要になる。
さらに、図７に示した第３実施例のように、バネ式クランパ２の把持部２１ｂ，２２ｂを、ある程度弾性変形可能にし、挟み込む歯ブラシ１０の柄部１１の長手方向に沿う方向に複数の部分に分割して形成してもよい。
【００４８】
〔口腔清掃用具の他の例〕
上述した各実施例では、口腔清掃用具として歯ブラシを使用する場合の例を説明した。しかし、口腔清掃用具はこれに限るものではなく、歯間ブラシや舌クリーナなどにもこの考案による口腔清掃用具用振動ユニットを装着して使用することができる。
【００４９】
歯間ブラシは、柄部の先端部が先細り形状をなし、その先端に、捩った細いワイヤによって多数の短い樹脂毛が１ｃｍ程度の長さに亘って放射状に保持された小さな円筒状のブラシ部が軸方向に延びて固設されている。そのブラシ部のワイヤは弾性を有していて自由に曲がることができる。また、樹脂毛の長さが先端に行く程短くなってブラシ径が小さくなっており、ブラシ部が歯間の隙間に入り易くなっている。
【００５０】
このような歯間ブラシは、一般にはその柄部が歯ブラシに比べて細くて短いものが多いが、歯ブラシと同等な柄部を有する歯間ブラシもある。そのような歯間ブラシには、前述した各実施例の口腔清掃用具用振動ユニットを歯ブラシに代えて歯間ブラシに装着し、それを微振動させて歯間の清掃や歯茎のマッサージなどを効率よく行うことができる。
【００５１】
さらに他の口腔清掃用具として舌クリーナもある。この舌クリーナは、柄部の先端に逆三角形状の枠型ヘッド部が設けられており、その枠型ヘッド部の底辺に相当する辺の一方の面に、多数の樹脂毛が２０〜３０本ずつ束にして複数列植え込まれて、舌の表面の舌苔を除去するためのブラシ部を構成している。
【００５２】
この舌クリーナの柄部は歯ブラシの柄部と同様な長さと太さを有しているものが多い。そこで、この考案による口腔清掃用具用振動ユニットをその柄部に装着して使用すれば、振動モータによる振動が舌クリーナの柄部を通してヘッド部に伝達されて、そのブラシ部を微振動させる。そのブラシ部の樹脂毛を舌面に載せて軽くなでることによって、舌面の舌乳頭の小突起を傷付けることなく、舌乳頭間にある舌苔を容易に除去することができる。
【００５３】
その他、柄部を有する各種の口腔清掃用具に、この考案による口腔清掃用具用振動ユニットを装着して使用することができる。また、使用対象とする口腔清掃用具の柄部の大きさや形状に応じて、クランパ側ユニットの特に把持部の大きさや形状を変更することもできる。
【００５４】
また、口腔清掃用具ではないが、顔の目元、目尻、頬、あるいは顔全体を磁石コロでマッサージする美顔磁石コロも、その柄部にこの考案による口腔清掃用具用振動ユニットを装着すれば、磁石コロに微振動を与えながら、顔の所望の箇所をマッサージすることができる。それによって、顔面の血流が促進され、美顔効果が増進する。
【００５５】
〔振動源の他の例〕
前述した各実施例では、振動源として振動モータを使用する例を説明したが、それに限るものではない。例えば、超音波振動子、圧電振動子、電磁振動器など、小型化が可能な振動発生デバイスであれば、いずれも採用可能である。
【産業上の利用可能性】
【００５６】
この考案による口腔清掃用具用振動ユニットは、歯ブラシや歯間ブラシ、舌クリーナ等の各種の口腔清掃用具に利用でき、それらに装着することによってその口腔清掃用具を微振動させ、高価な電動歯ブラシや電動歯間ブラシ等の電動口腔清掃用具と同等の機能を発揮させることができる。そして、１個の口腔清掃用具用振動ユニットを複数種類の口腔清掃用具に共用でき、また複数の利用者で共用することができる。
【符号の説明】
【００５７】
１，１′，１″：クランパ側ユニット    ２，２′，２″：バネ式クランパ
３：振動モータ    ３ａ：筐体    ３ｂ：回転駆動部    ３ｃ：回転軸
３ｄ：偏心重り    ４：電源部    ５：給電線    ６：電源プラグ  
７：口腔清掃用具用振動ユニット    ８：電源部
１０：歯ブラシ    １１：柄部    １２：ヘッド部    １３：刷毛
２１，２２：板状部材    ２１ａ，２２ａ：連結片    ２１ｂ，２２ｂ：把持部
２１ｃ，２２ｃ：摘み部    ２１ｄ：支持部    ２１ｆ：軸受溝
２２ｄ：押さえ部    ２２ｅ：振動モータ保持部    ２２ｆ：軸部    
２１ｇ，２２ｇ：板バネ係止部    ２３：回転軸    ２４：コイルバネ    
２４ａ，２４ｂ：コイルバネの端部    ２５：板バネ    ２５ａ，２５ｂ：板バネの端部
２５ｃ：板バネの中間部    ２６：スイッチ    ２６ａ：押しボタン
４０：電源部    ４１：スイッチ    ４１a：押しボタン    ４２：クリップ片    
４３：電池    ８１：電池    ８２：スイッチ
【図１】
0003170570.tif 000003
【図２】
0003170570.tif 000004
【図３】
0003170570.tif 000005
【図４】
0003170570.tif 000006
【図５】
0003170570.tif 000007
【図６】
0003170570.tif 000008
【図７】
0003170570.tif 000009
【図８】
0003170570.tif 000010
【図９】
0003170570.tif 000011
【図１０】
0003170570.tif 000012